(57)【要約】日焼け止め剤と、それと併用しその有効性を示すＵＶ指示剤とを含み、別個に分与する方法およびデバイスが提供される。可撓性チューブまたは他の容器が、日焼け止め剤を含有する一次チャンバを画定し、その上に搭載された二重押上式キャップを有する。このキャップは、基部であって、可撓性チューブに搭載され、日焼け止め剤が分与される基部を備える。キャップの中央区分は基部に蝶着され一次チャンバへのアクセスを提供する。キャップの上部区分は中央区分に蝶着される。中央区分および上部区分は協働し、ＵＶ指示剤を含有する二次チャンバを画定し、上部区分は二次チャンバへのアクセスを提供する。二次チャンバは、事前にインクが充填されたスタンプ、スタンプおよびＵＶ指示剤が含浸されたインクパッドを含み得る。ＵＶ指示剤は、日焼け止め剤下の皮膚の１つまたはそれを上回る小領域に塗布され色を変化させて日焼け止め剤の有効性を示す。
2019521728.tif 000002
【特許請求の範囲】
【請求項１】
ヒトの皮膚上での使用のための２つの材料を含有し、別個に分与するためのデバイスであって、
一次材料を含有するための一次チャンバを画定する容器であって、開口部を備える、容器と、
前記開口部にわたって前記容器に搭載される二重押上式キャップであって、
基部であって、それを介して前記二重押上式キャップが前記容器に搭載され、それを介して前記一次材料が前記容器から分与可能である、基部と、
前記基部に蝶着された中央区分であって、前記容器のための第１の押上式蓋としての役割を果たす、中央区分と、
前記中央区分に蝶着された上部区分であって、前記中央区分および前記上部区分は、協働し、二次材料を含有するための二次チャンバを画定し、前記上部区分は、前記二次チャンバのための第２の押上式蓋としての役割を果たす、上部区分と、
を備える、二重押上式キャップと、
を備える、デバイス。
【請求項２】
前記一次チャンバは、一次材料を含有し、前記一次材料は、日焼け止め剤であって、
前記二次チャンバは、二次材料を含有し、前記二次材料は、前記日焼け止め剤と併用され、前記日焼け止め剤の有効性を示すためのＵＶ指示剤である、
請求項１に記載のデバイス。
【請求項３】
前記二次チャンバは、前記二次材料をヒトの皮膚に塗布するためのアプリケータを含む、請求項１および２のいずれかに記載のデバイス。
【請求項４】
前記アプリケータは、スタンプである、請求項３に記載のデバイス。
【請求項５】
前記日焼け止め剤は、流体であって、前記ＵＶ指示剤も、流体である、請求項２に記載のデバイス。
【請求項６】
前記日焼け止め剤は、クリーム、ローション、ゲル、液体、およびバームから成る群から選択される、請求項２に記載のデバイス。
【請求項７】
前記ＵＶ指示剤は、インクである、請求項２に記載のデバイス。
【請求項８】
前記ＵＶ指示剤は、ＵＶ放射への暴露に応じて色を変化させる、光発色性材料を含む、請求項２に記載のデバイス。
【請求項９】
前記基部は、それを介して前記一次材料が前記一次チャンバから分与可能である開口を有する、ノズルを備える、請求項１および２のいずれかに記載のデバイス。
【請求項１０】
前記容器は、可撓性チューブまたは瓶である、請求項１および２のいずれかに記載のデバイス。
【請求項１１】
前記容器は、プラスチックまたは金属から作製され、前記二重押上式キャップは、プラスチックから作製される、請求項１および２のいずれかに記載のデバイス。
【請求項１２】
前記中央区分は、第１の可撓性ヒンジによって前記基部に蝶着され、前記上部区分は、第２の可撓性ヒンジによって前記中央区分に蝶着され、前記第１および第２の可撓性ヒンジは、前記第１および第２の押上式蓋の同時開放を実質的に防止するように、前記中央区分の両側に円周方向に位置する、請求項１および２のいずれかに記載のデバイス。
【請求項１３】
前記中央区分内に配置されるインクウェル陥凹であって、二次材料を含むように定寸および成形される、インクウェル陥凹をさらに備える、請求項１および２のいずれかに記載のデバイス。
【請求項１４】
ヒトの皮膚上での使用のための２つの材料を含有し、別個に分与するためのデバイスであって、
一次材料を含有するための一次チャンバを画定する容器であって、開口部を備える、容器と、
前記開口部にわたって前記容器に搭載される二重キャップアセンブリであって、
基部であって、それを介して前記二重キャップアセンブリが前記容器に搭載され、それを介して前記一次材料が前記容器から分与可能である、基部と、
前記基部に取り外し可能に取り付けられ、前記一次チャンバを閉鎖し、そこへのアクセスを提供する、中央区分と、
前記中央区分に取り外し可能に取り付けられ、前記上部区分および前記中央区分によって画定された二次チャンバを閉鎖またはそこへのアクセスを提供する、上部区分であって、前記二次チャンバは、前記二次材料を含有するためのものである、上部区分と、を備える、二重キャップアセンブリと、
を備える、デバイス。
【請求項１５】
前記中央区分は、スナップ嵌合またはねじ山締結機構によって前記基部に取り外し可能に取り付けられ、前記上部区分は、スナップ嵌合またはねじ山締結機構によって前記中央区分に取り外し可能に取り付けられる、請求項１４に記載のデバイス。
【請求項１６】
前記一次チャンバは、一次材料を含有し、前記一次材料は、日焼け止め剤であって、
前記二次チャンバは、二次材料を含有し、前記二次材料は、前記日焼け止め剤と併用され、前記日焼け止め剤の有効性を示すためのＵＶ指示剤である、
請求項１４に記載のデバイス。
【請求項１７】
前記二次チャンバは、前記二次材料をヒトの皮膚に塗布するためのアプリケータを含む、請求項１４−１６のいずれかに記載のデバイス。
【請求項１８】
前記アプリケータは、スタンプである、請求項１７に記載のデバイス。
【請求項１９】
前記日焼け止め剤は、流体であって、前記ＵＶ指示剤も、流体である、請求項１６に記載のデバイス。
【請求項２０】
前記日焼け止め剤は、クリーム、ローション、ゲル、液体、およびバームから成る群から選択される、請求項１９に記載のデバイス。
【請求項２１】
前記ＵＶ指示剤は、インクである、請求項１９に記載のデバイス。
【請求項２２】
前記ＵＶ指示剤は、ＵＶ放射への暴露に応じて色を変化させる、光発色性材料を含む、請求項１９に記載のデバイス。
【請求項２３】
前記基部は、それを介して前記一次材料が前記一次チャンバから分与可能である開口を有する、ノズルを備える、請求項１４−１６のいずれかに記載のデバイス。
【請求項２４】
前記容器は、可撓性チューブまたは瓶である、請求項１４−１６のいずれかに記載のデバイス。
【請求項２５】
前記容器は、プラスチックまたは金属から作製され、前記二重キャップアセンブリは、プラスチックから作製される、請求項１４−１６のいずれかに記載のデバイス。
【請求項２６】
前記中央区分内に配置されるインクウェル陥凹であって、前記二次材料を含むように定寸および成形される、インクウェル陥凹をさらに備える、請求項１４に記載のデバイス。
【請求項２７】
ヒトの皮膚上での使用のための２つの材料を含有し、別個に分与するためのデバイスであって、日焼け止め剤を含有する、一次チャンバと、前記日焼け止め剤と併用され、前記日焼け止め剤の有効性を示すためのＵＶ指示剤を含有する、二次チャンバとを備える、デバイス。
【請求項２８】
ヒトの皮膚への塗布のための２つの材料を分与する方法であって、
日焼け止め剤を含有する一次チャンバを画定する容器と、前記容器に搭載される二重押上式キャップとを有する、デバイスを取得するステップを含み、前記二重押上式キャップは、
基部であって、それを介して前記二重押上式キャップが前記容器に搭載される、基部と、
前記基部に蝶着された中央区分と、
前記中央区分に蝶着された上部区分であって、前記上部区分および前記中央区分は、協働し、ＵＶ指示剤を含有する二次チャンバを画定する、上部区分と、
を備え、前記方法はさらに、
前記二重押上式キャップの蝶着上部区分を押し上げて開放するステップであって、前記二次チャンバへのアクセスを提供するステップと、
所定量の前記ＵＶ指示剤を前記二次チャンバから分与するステップであって、ユーザの皮膚の第１の部分に塗布するステップと、
前記二重押上式キャップの蝶着上部区分を閉鎖するステップと、
前記二重押上式キャップの蝶着中央区分を押し上げて開放するステップであって、前記一次チャンバへのアクセスを提供するステップと、
前記基部を介して、所定量の日焼け止め剤を前記一次チャンバから分与するステップであって、それを前記ユーザの皮膚の第１の部分および皮膚の第２の部分に塗布される前記ＵＶ指示剤にわたって塗布するステップと、
前記二重押上式キャップの蝶着中央区分を閉鎖するステップと、
を含む、方法。
【請求項２９】
ヒトの皮膚への塗布のための２つの材料を分与する方法であって、
日焼け止め剤を含有する一次チャンバを画定する容器と、前記容器に搭載され二重キャップアセンブリとを備える、デバイスを取得するステップを含み、前記二重キャップアセンブリは、
基部であって、それを介して前記二重キャップアセンブリが前記容器に搭載される、基部と、
前記基部に取り外し可能に取り付けられる、中央区分と、
前記中央区分に取り外し可能に取り付けられる、上部区分であって、前記上部区分および前記中央区分は、協働し、ＵＶ指示剤を含有する二次チャンバを画定する、上部区分と、
を備え、前記方法はさらに、
前記二重キャップアセンブリの上部区分を前記中央区分から分離するステップであって、前記二次チャンバへのアクセスを提供するステップと、
所定量の前記ＵＶ指示剤を前記二次チャンバから分与するステップであって、ユーザの皮膚の第１の部分に塗布するステップと、
前記二重キャップアセンブリの上部区分を再度取り付けるステップであって、前記二次チャンバを閉鎖するステップと、
前記二重キャップアセンブリの中央区分を前記基部から分離するステップであって、前記一次チャンバへのアクセスを提供するステップと、
前記基部を介して、所定量の日焼け止め剤を前記一次チャンバから分与するステップであって、それを前記ユーザの皮膚の第１の部分および皮膚の第２の部分に塗布される前記ＵＶ指示剤にわたって塗布するステップと、
前記二重キャップアセンブリの中央区分を前記基部に再度取り付けるステップであって、前記一次チャンバを閉鎖するステップと、
を含む、方法。
【請求項３０】
ヒトの皮膚への塗布のための２つの材料を分与する方法であって、
日焼け止め剤を含有する一次チャンバと、ＵＶ指示剤を含有する二次チャンバとを有する、デバイスを取得するステップと、
前記二次チャンバを開放するステップと、
所定量の前記ＵＶ指示剤を前記二次チャンバから分与するステップであって、ユーザの皮膚の第１の部分に塗布するステップと、
前記二次チャンバを閉鎖するステップと、
前記一次チャンバを開放するステップと、
所定量の日焼け止め剤を前記一次容器から分与するステップであって、それを前記ユーザの皮膚の第１の部分および皮膚の第２の部分に塗布される前記ＵＶ指示剤にわたって塗布するステップと、
前記一次チャンバを閉鎖するステップと、
を含む、方法。
【発明の詳細な説明】
【技術分野】
【０００１】
背景
技術分野
本開示は、概して、ヒトの皮膚上でともに使用するための材料を含有し、別個に分与するための方法およびデバイスに関する。特に、ヒトの皮膚上で使用するための日焼け止め剤およびＵＶ指示剤を含有し、別個に分与するための方法およびデバイスに関し、ＵＶ指示剤は、身体の１つまたはそれを上回る小領域上で日焼け止めの真下に塗布され、ユーザに、さらに日焼け止め剤を塗布するか、またはその太陽への暴露を低減させるように視覚的に警告するために使用される。
【背景技術】
【０００２】
関連技術の説明
日焼け止めは、皮膚に到達するＵＶ放射のレベルを低減させることによって、紫外線（ＵＶ）放射への過度の暴露を低減または防止するために広く使用されている。物理的または無機性日焼け止め剤（酸化チタンまたは酸化亜鉛を含有するもの等）は、概して、ＵＶ放射を遮断または散乱させることによって作用する一方、化学的または有機性日焼け止め剤は、概して、ＵＶ放射を吸収することによって作用する。
【０００３】
多種多様な日焼け止め剤製品が、利用可能である。これらの日焼け止め剤は、典型的には、クリーム、ローション、ゲル、および液体等の流体として、またはパウダー等の固体として、商業的に入手可能である。日焼け止め剤は、典型的には、オリフィス、ノズル、ポンプ、スプレー、もしくはブラシ等のディスペンサを有する、可撓性チューブ、またはプラスチックもしくは金属のいずれかのボトル等の硬質容器内に含有またはパッケージ化される。パッケージングは、概して、日焼け止め剤によってもたらされるＵＶ保護の強度（例えば、日焼け止め指数またはＳＰＦ値）を示し、適切な塗布および再塗布手順に関する指示を含有する。
【０００４】
種々の理由から、いったん皮膚に塗布されると、日焼け止め剤は、経時的にあまり有効ではなくなる傾向にある。例えば、日焼け止め剤は、擦れ落ち得る、発汗もしくは水中への浸漬を通して除去され得、そして／または日焼け止め剤の有効性は、皮膚の中への吸収もしくは光劣化のため低減され得る。また、いくつかの日焼け止め剤は、有効期限を有し、長期貯蔵によってあまり有効ではなくなり得る。概して、ユーザは、日焼け止め剤がもはや有効または適正なＵＶ保護を提供しなくなっとき、それを判断することができない。また、ユーザが、所望の程度のＵＶ保護を提供するために、ユーザの皮膚への日焼け止め剤の適正なコーティングを塗布したかどうかを把握することは困難であり得る。
【０００５】
ＵＶ放射への暴露に応じて色を可逆的に変化させる光発色性分子を含有する、ＵＶ指示剤が、公知である。ヒトの皮膚に直接塗布され得る、そのようなＵＶ指示剤の調合が、現在、開発中である。そのようなＵＶ指示剤は、身体の１つまたはそれを上回る小領域上にマーカとして日焼け止め剤の真下に塗布され、ＵＶ指示剤マーカの色の変化に基づいて、ユーザに、さらなる日焼け止め剤を塗布するか、またはユーザの太陽への暴露を低減させるように視覚的に警告するために使用される。日焼け止め剤がもはや適正なＵＶ保護を提供しなくなると生じる色変化は、例えば、有色から無色、無色から有色、ある色から別の色であることができるか、または使用されている特定のＵＶ指示剤に応じて、色の強度の変化であることができる。ＵＶ放射への暴露に応じて不可逆的に色を変化させる分子を含む、ＵＶ指示剤もまた、公知であって、線量計タイプの指示剤として使用され、累積ＵＶ暴露の視覚的指示を与えることができる。
【発明の概要】
【課題を解決するための手段】
【０００６】
簡単な要旨
ヒトの皮膚上での使用のための２つの材料を含有し、別個に分与するためのデバイスが、提供される。いくつかの実施形態では、ヒトの皮膚上での使用のための２つの材料を含有し、別個に分与するためのデバイスは、日焼け止め剤を含有する一次チャンバと、ＵＶ指示剤を含有する二次チャンバとを有する。
【０００７】
いくつかの実施形態では、ヒトの皮膚上での使用のための２つの材料を含有し、別個に分与するためのデバイスは、容器と、そこに搭載される二重押上式キャップとを備える。容器は、一次材料を含有するための一次チャンバを画定し、二重押上式キャップは、容器内の開口部にわたって搭載される。二重押上式キャップは、基部であって、それを介してそれが容器に搭載され、それを介して一次材料が容器から分与され得る、基部を備える。例えば、基部は、開口を有する、ノズルを備えることができる。二重押上式キャップはさらに、基部に蝶着された中央区分を備え、中央区分は、容器のための押上式蓋としての役割を果たす。二重押上式キャップはさらに、中央区分に蝶着された上部区分を備え、中央区分および上部区分は、協働し、二次材料を含有するための二次チャンバを画定し、上部区分は、二次チャンバのための押上式蓋としての役割を果たす。一次および二次材料は、異なる組成物を有する。いくつかの実施形態では、一次材料は、日焼け止め剤であって、二次材料は、ＵＶ指示剤である。
【０００８】
いくつかの実施形態では、ヒトの皮膚上での使用のための２つの材料を含有し、別個に分与するためのデバイスは、容器と、そこに搭載される二重キャップアセンブリとを備える。容器は、一次材料を含有するための一次チャンバを画定し、二重キャップアセンブリは、容器内の開口部にわたって搭載される。二重キャップアセンブリは、基部であって、それを介してそれが容器に搭載され、それを介して一次材料が容器から分与され得る、基部を備える。例えば、基部は、開口を有する、ノズルを備えることができる。二重キャップアセンブリはさらに、例えば、スナップ嵌合またはねじ山締結機構によって、基部に取り外し可能に取り付けられ、一次チャンバを閉鎖するか、またはそこへのアクセスを提供し得る、中央区分を備える。二重キャップアセンブリはさらに、例えば、スナップ嵌合またはねじ山締結機構によって、中央区分に取り外し可能に取り付けられ、二次チャンバを閉鎖するか、またはそこへのアクセスを提供し得る、上部区分を備える。中央区分および上部区分は、協働し、二次材料を含有するための二次チャンバを画定する。一次および二次材料は、異なる組成物を有する。いくつかの実施形態では、一次材料は、日焼け止め剤であって、二次材料は、ＵＶ指示剤である。
【０００９】
上記に説明されるデバイスのいくつかの実施形態では、容器は、絞り出しチューブである。上記に説明されるデバイスの他の実施形態では、容器は、瓶である。上記に説明されるデバイスのいくつかの実施形態では、容器は、エアロゾル缶であって、基部は、スプレーノズルを備える。
【００１０】
上記に説明されるデバイスのいくつかの実施形態では、二次チャンバは、ＵＶ指示剤をヒトの皮膚に塗布するためのアプリケータを含む。アプリケータは、例えば、スタンプ（またはダイ）であることができる。
【００１１】
また、本明細書に説明されるデバイスの実施形態を使用して、２つの材料を分与し、ヒトの皮膚に塗布するための方法も、提供される。
【００１２】
いくつかの実施形態では、ヒトの皮膚への塗布のための２つの材料を分与するための方法は、日焼け止め剤を含有する一次チャンバと、ＵＶ指示剤を含有する二次チャンバとを有する、デバイスを取得するステップを含む。本方法は、二次チャンバを開放するステップと、所定量のＵＶ指示剤を二次チャンバから分与するステップであって、ユーザの皮膚の第１の部分に塗布するステップと、二次チャンバを閉鎖するステップと、一次チャンバを開放するステップと、所定量の日焼け止め剤を一次容器から分与するステップであって、それをユーザの皮膚の第１の部分およびユーザの皮膚の第２の部分上のＵＶ指示剤にわたって塗布するステップと、一次チャンバを閉鎖するステップとを含む。
【００１３】
他の実施形態では、ヒトの皮膚への塗布のための２つの材料を分与するための方法は、日焼け止め剤を含有する一次チャンバを画定する容器と、容器に搭載される二重押上式キャップとを有する、デバイスを取得するステップであって、二重押上式キャップは、ＵＶ指示剤を含有する二次チャンバを備える、ステップと、例えば、二重押上式キャップの上部区分を中央区分から部分的に係合解除することによって、二重押上式キャップの蝶着上部区分を押し上げて開放するステップであって、二次チャンバへのアクセスを提供するステップと、所定量のＵＶ指示剤を二次チャンバから分与するステップであって、例えば、二次チャンバ内に位置するスタンプを使用して、ユーザの皮膚の第１の部分に塗布するステップと、例えば、蝶着上部区分と中央区分を再度係合することによって、二重押上式キャップの上部区分を閉鎖するステップと、例えば、中央区分を二重押上式キャップの基部から部分的に係合解除することによって、二重押上式キャップの蝶着中央区分を押し上げて開放するステップであって、一次チャンバへのアクセスを提供するステップと、基部を介して所定量の日焼け止め剤を一次チャンバから分与するステップ、およびそれをユーザの皮膚の第１の部分およびユーザの皮膚の第２の部分上のＵＶ指示剤にわたって塗布するステップと、例えば、蝶着中央区分と基部を再度係合することによって、二重押上式キャップの中央区分を閉鎖するステップとを含む。
【００１４】
なおもさらなる実施形態では、ヒトの皮膚への塗布のための２つの材料を分与するための方法は、日焼け止め剤を含有する一次チャンバを画定する容器と、容器に搭載される二重キャップアセンブリとを備える、デバイスを取得するステップであって、二重キャップアセンブリは、ＵＶ指示剤を含有する二次チャンバを備える、ステップと、二重キャップアセンブリの上部区分を二重キャップアセンブリの中央区分から分離するステップであって、二次チャンバへのアクセスを提供するステップと、例えば、二次チャンバ内に位置するスタンプを使用して、所定量のＵＶ指示剤を二次チャンバからユーザの皮膚の第１の部分に分与および塗布するステップと、二重キャップアセンブリの上部区分を二重キャップアセンブリの中央区分に再度取り付けるステップであって、二次チャンバを閉鎖するステップと、二重キャップアセンブリの中央区分を二重キャップアセンブリの基部から分離するステップであって、一次チャンバへのアクセスを提供するステップと、基部を介して所定量の日焼け止め剤を一次チャンバから分与するステップと、それをユーザの皮膚の第１の部分およびユーザの皮膚の第２の部分上のＵＶ指示剤にわたって塗布するステップと、二重キャップアセンブリの中央区分を二重キャップアセンブリの基部に再度取り付けるステップであって、一次チャンバを閉鎖するステップとを含む。
【００１５】
本発明のこれらおよび他の特徴ならびに利点は、添付の図面および続く発明を実施するための形態からより容易に明白となる。
【図面の簡単な説明】
【００１６】
【図１】図１は、ヒトの皮膚上で使用するための材料を含有し、別個に分与するためのデバイスの実施形態の側面図であって、デバイスは、一次チャンバと、二次チャンバを含む二重押上式キャップとを備える。
【図２】図２Ａ、２Ｂ、２Ｃ、および２Ｄは、図１に示される二重押上式キャップの種々の異なる図である。
【図３】図３Ａおよび３Ｂは、図１に示される二重押上式キャップの基部の上面および側面切断図である。
【図４−１】図４Ａ、４Ｂ、および４Ｃは、図１に示される二重押上式キャップの中央区分の底面、上面、および側面図である。
【図４−２】図４Ｄ、４Ｅ、および４Ｆは、図１に示される二重押上式キャップの上部区分の上面、底面、および側面図である。
【図５】図５Ａ、５Ｂ、５Ｃ、および５Ｄは、図１に示される二重押上式キャップの側面図であって、蝶着区分を異なる位置に伴う。
【図６】図６は、容器上に搭載された二重キャップアセンブリの実施形態の断面側面図である。
【図７】図７は、容器上に搭載された二重キャップアセンブリの別の実施形態の断面側面図である。
【図８】図８は、ヒトの皮膚上での使用のための材料を含有し、別個に分与するためのデバイスの別の実施形態の側面図であって、デバイスは、スプレー缶と、スプレーノズルおよび二次チャンバを構成する、キャップアセンブリとを含む。
【図９】図９は、ヒトの皮膚上での使用のための材料を含有し、別個に分与するためのデバイスの別の実施形態の側面図であって、デバイスは、スプレー缶と、そこに取り外し可能に搭載される容器／アプリケータを伴う、キャップアセンブリとを備える。
【図１０】図１０は、別の実施形態による、二重押上式キャップの側面図である。
【図１１】図１１は、別の実施形態による、二重押上式キャップの側面図である。
【００１７】
同様の参照番号は、図面のいくつかの図全体を通して同様の部品を指す。
【発明を実施するための形態】
【００１８】
好ましい実施形態の詳細な説明
本明細書で使用されるように、用語「日焼け止め剤」は、例えば、ＵＶ放射を吸収、散乱、および／または遮断することによって、ＵＶ放射への皮膚の暴露を低減させ、暴露された皮膚を日焼けから保護するためにヒトの皮膚上で使用するために販売されている材料を含む。日焼け止め剤は、クリーム、ローション、液体、ゲル、スプレー、およびバーム等の流体を含み、かつパウダー等の固体も含む。
【００１９】
本明細書で使用されるように、用語「ＵＶ指示剤」は、ＵＶ放射に暴露されると色を変化させる１つまたはそれを上回るタイプの光発色性分子を含む、材料を指す。色変化は、好ましくは、可逆的であるが、いくつかの実施形態では、不可逆的である。ＵＶ指示剤は、光発色性分子を含むか、または溶液、懸濁液、インク、もしくはゲル等の流体、または光発色性分子を含む、パウダー等の固体を含むことができる。
【００２０】
図１を参照すると、ヒトの皮膚上での使用のための２つの材料を含有し、別個に分与するためのデバイス１０の実施形態が、示される。デバイス１０は、容器１４と、容器１４上に搭載された二重押上式キャップ１２とを備える。容器１４は、図１では、可撓性の絞り出しチューブとして図示されるが、例えば、瓶または缶等の硬質の壁付き容器であることもできる。異なる実施形態では、一次容器１４の壁１６は、可撓性または剛性プラスチック、可撓性または剛性金属、ガラス、複合材料、もしくは他の好適な材料から作製されることができる。壁１６は、日焼け止め５８等の一次材料を含有する、一次チャンバ（すなわち、容器１４の内部容積）を画定する。
【００２１】
二重押上式キャップ１２は、それを介してそれが容器１４に搭載され、それを介して日焼け止め剤５８が分与される、基部３２を備える。キャップ１２の中央区分３０は、基部３２に蝶着され、一次チャンバを閉鎖し、そこへのアクセスを提供するための容器１４のための押上式蓋または閉鎖部としての役割を果たす。キャップ１２の上部区分２４は、中央区分３０に蝶着される。中央区分３０および上部区分２４は、協働し、指示剤を含有する二次チャンバを画定する（図４および５を参照して以下にさらに詳細に示される）。上部区分２４は、二次チャンバを閉鎖し、そこへのアクセスを提供するための押上式蓋または閉鎖部としての役割を果たす。二次チャンバは、ＵＶ指示剤等の二次材料を含有することができる。
【００２２】
日焼け止め剤５８等の一次材料が、押上式蓋としての役割を果たす中央区分３０が開放されると、基部３２を介して容器１４内から分与されることができる。中央区分が、図１に示されるように、閉鎖位置にあるとき、容器１４内の一次チャンバは、閉鎖または実質的にシールされる。ＵＶ指示剤等の二次材料が、押上式蓋としての役割を果たす上部区分２４が開放されると、二次チャンバから分与されることができる。上部区分２４が、図１に示されるように、閉鎖位置にあるとき、二次チャンバは、閉鎖または実質的にシールされる。基部３２は、典型的には、ねじ山締結機構（図６および７参照）によって接続される容器１４に搭載される。
【００２３】
図２Ａ、２Ｂ、２Ｃ、および２Ｄは、それぞれ、図１に示される二重押上式キャップ１２の右側、左側、正面、および上面図である。可撓性ヒンジ３４および３６は、それぞれ、上部区分２４を中央区分３０に、中央区分３０を基部３２に取り付ける。ヒンジ３４および３６は、好ましくは、図２Ａおよび２Ｂに示されるように、一方の区分（３０または２４）が開放位置に押し上げられると、他方の区分が同時に開放しにくい傾向を有するように、二重押上式キャップ１２の両側にある。他の実施形態では、可撓性ヒンジ３４、３６は、キャップの同一側または相互に対してある他の位置にあり得る。二重押上式キャップ１２は、典型的には、プラスチックから作製され、可撓性ヒンジ３４および３６は、従来通り、かつ当業者に周知のように、キャップの残りと一体的に形成される薄いプラスチックから作製されることができる。いくつかの実施形態では、上部区分２４および中央区分３０は、ともに形成され、基部３２は、別個に形成され、これらの２つのパーツは、例えば、滑合接続を介して接続され、ヒンジ３４を形成することができる。いくつかの実施形態では、基部３２および中央区分３０は、ともに形成され、上部区分２４は、別個に形成され、これらの２つのパーツは、例えば、滑合接続を介して接続され、ヒンジ３６を形成することができる。図２Ｃに示されるくぼみ３８および４０は、指が押上式蓋（それぞれ、区分２４および３０）を把持し、開放することができる、面積を提供する。
【００２４】
図３Ａおよび３Ｂは、それぞれ、二重押上式キャップ１２の基部３２の上面図および側面断面図を図示する。基部３２は、突出ノズル４３を備え、開口部または開口４４が、それを通して形成され、それを介して日焼け止め剤５８等の一次材料が、基部３２が搭載される容器から分与されることができる。図３Ｂに示されるように、基部３２は、ねじ山４２と内部で螺合され、それを介して外部から螺合される容器に搭載されることができる。
【００２５】
図４Ａ−Ｃは、それぞれ、二重押上式キャップ１２の中央区分３０の底面図、上面図、および側面図を示す。中央区分３０は、中央区分３０が基部３２に対して閉鎖位置にあるとき、基部３２の突出ノズル４３にわたって嵌合し、開口４４を介した材料の漏出を防止する、その中に形成される陥凹４６を有する。他の実施形態では、中央区分３０は、中央区分が閉鎖位置にあるとき、開口４４の中に挿入し、それを遮断する、プラグを備えてもよい。当業者に明白である、他の好適なシール機構も、本目的のために、中央区分３０および／または基部３２の中に組み込まれてもよい。中央区分３０はまた、ＵＶ指示剤インク等の二次材料が含浸または浸潤され得る、スタンプ５０を含有する、別の陥凹４８を備える。スタンプは、ポリマー発泡体またはスポンジ状ゴムもしくは他の好適な材料から作製されることができる。これは、イメージ５２等のイメージまたは設計を用いてパターン化されてもよい。図４Ｄ−Ｆは、それぞれ、二重押上式キャップ１２の上部区分２４の上面図、底面図、および側面図を示す。上部区分２４は、中央区分３０内の陥凹４８から突出するスタンプ５０にわたって嵌合し、それを収容する、陥凹５４を有する。したがって、上部区分２４および中央区分３０は、協働し、図示される実施形態では、スタンプ５０内に貯蔵されるＵＶ指示剤インクである、二次材料を含有するために陥凹５４および４８によって形成される、二次チャンバ５６を画定する。図示される実施形態では、陥凹４８および５４は、ほぼ同一寸法を有する。いくつかの実施形態では、１つの陥凹（例えば、陥凹４８）内に位置する、パターン化されたスタンプと、他の陥凹（例えば、陥凹５４）内に位置する、ＵＶ指示剤インクが含浸されて位置するインクパッドとが存在する。上部区分２４が、閉鎖位置にあるとき、スタンプは、パッドと接触して、スタンプをインクで湿潤または装填する。いくつかの実施形態では、インクウェルが、インクパッドと流体連通するように提供されることができ、インクパッドは、図１１に図示され、以下により詳細に説明されるように、スタンプをインクで湿潤または装填することができる。
【００２６】
いくつかの実施形態では、スタンプおよび／またはインクパッドは、それらが交換または補充され得るように容易に除去可能である。いくつかの実施形態では、陥凹４８および５４は、異なるサイズまたは深度であって、いくつかの実施形態では、上部区分２４または中央区分３０のうちの１つのみ内に陥凹が存在する。
【００２７】
ガスケットまたは他の好適なシール機構（図示せず）が、二次材料（ＵＶ指示剤等）が二次チャンバ５６から漏出しないように、かつ二次チャンバ内のスタンプ５０および／またはインクパッド（存在する場合）が乾燥しにくい傾向となるように、上部区分２４が中央区分３０に対して閉鎖位置にあるとき、二次チャンバ５６を実質的にシールするために使用されることができる。
【００２８】
図５Ａ、５Ｂ、５Ｃ、および５Ｄは、異なる位置における蝶着区分を伴う、二重押上式キャップ１２の図を図示する。図５Ａでは、中央区分３０は、基部３２と係合され、上部区分２４は、中央区分３０と係合され、したがって、押上式蓋（区分３０および２４）は両方とも、閉鎖位置にある。スナップ嵌合機構または他の好適な機構も、合理的な手動での力の程度が蓋を開放するために要求され、デバイス１０が使用されていないとき、それらが偶発的に開放しにくいように、使用されることができる。図５Ｂでは、中央区分３０は、開放位置に枢動される。図５Ｃでは、上部区分２４は、開放位置に押し上げられるか、または枢動される。図５Ｄでは、中央区分３０および上部区分２４は両方とも、開放位置に押し上げられる、または枢動される。ノズル４４ならびに陥凹４６、４８、および５４は、図５Ａおよび５Ｃでは、点線で示される。
【００２９】
図１−５に示されるような二重押上式キャップ１２を有する、デバイス１０の使用方法は、以下の通りである。蝶着上部区分２４が、押し上げられて開放され、ＵＶ指示剤材料をその中に有する暴露されたスタンプ５０が、所定量のＵＶ指示剤を、腕、肩、または背中等の高暴露面積内の皮膚の小領域に塗布するために使用される。蝶着上部区分２４は、閉鎖され、次いで、蝶着中央区分３０が、上部区分２４が開放された方法と反対方向にそれを押し上げることによって開放される。日焼け止め剤が、容器１４内の一次チャンバから分与され、日焼け止め剤材料は、皮膚の小領域と、所望に応じて、ユーザの太陽に暴露される皮膚の他の部分とに塗布されたＵＶ指示剤にわたって塗布される。ＵＶ指示剤は、丸いスポット等の任意の好適なマークもしくは形状として、または花、動物等の所定の設計において、塗布されてもよい。塗布されたＵＶ指示剤は、日焼け止め剤を通したＵＶ放射への暴露の強度および長さに基づいて、色を変化させる。デバイスは、異なる色の有意性または色飽和レベルに関する指示を含んでもよい。例えば、明るい赤色スポットは、付加的日焼け止め剤が塗布されるべきであることの警告を提供してもよい。
【００３０】
上記に示されるような二重押上式キャップは、２つの蝶着区分を有する。他の好適な機構も、キャップアセンブリの種々の区分を相互に取り外し可能に取り付けるか、または締結するために使用されてもよい。キャップは、スナップ嵌合、押し込みもしくはねじ込み式区分、または取り付け機構の組み合わせを備えることができる。例えば、いくつかの実施形態では、ヒンジ３４および３６の一方または両方は、省略され、中央区分３０は、基部３２に取り外し可能にスナップ嵌合し、および／または上部区分２４は、中央区分３０に取り外し可能にスナップ嵌合する（以下の図７に示されるように）。他の実施形態では（以下の図６に示されるように）、中央区分３０は、ねじ山締結機構によって、基部３２に取り外し可能に締結され、および／または上部区分２４は、中央区分３０に取り外し可能に締結される。一般に、ヒンジは、デバイスの使用の容易性のため、かつデバイスの構成要素をともに保つためにより便宜的である。
【００３１】
したがって、図１−５に図示される二重押上式キャップ１２は、単一デバイスが、相互に関連付けて使用されるために、ヒトの皮膚への塗布のための２つの材料を貯蔵および分与するために使用されることを可能にすることができる。二重押上式キャップ１２は、キャップが搭載される容器１４内の一次チャンバおよびキャップ１２自体内の二次チャンバをシールし、そこへのアクセスを提供する便宜的方法である。二重押上式キャップは、それによって、ヒトの皮膚上での使用のための一次材料および二次材料の貯蔵および別個の分与、特に、日焼け止め剤およびＵＶ指示剤の貯蔵および別個の分与を促進する。指示剤は、二次チャンバ内に含まれるスタンプまたは他の好適なアプリケータを使用して、皮膚に塗布されることができる。
【００３２】
日焼け止め剤およびＵＶ指示剤を貯蔵し、別個に分与するためのデバイスのいくつかの代替実施形態が、図６−１１に図示される。
【００３３】
図６に示される実施形態では、二重キャップアセンブリ６１２が、容器６１４（部分的にのみ図６に示される）に搭載される。二重キャップアセンブリは、基部６３２を備え、これは、ねじ山締結機構によって、容器６１４に搭載される。基部６３２は、日焼け止め剤を容器６１４から分与するためのノズル６４３（それを通して開口を伴う）を有する。中央区分６３０は、基部６３２上に取り外し可能にスナップ嵌合し、陥凹６４６が、ノズル６４３を収容し、容器６１４を閉鎖し、好ましくは、シールをノズル６４３内の開口にわたって形成する。上部区分６２４は、ねじ山締結機構によって、中央区分６３０上に取り外し可能に螺合する。区分６２４および６３０は、インク付きスタンプ６５０と、随意に、インクパッド（図示せず）とを保持する、二次チャンバを画定する。
【００３４】
図７に示される実施形態では、二重キャップアセンブリ７１２が、容器７１４（部分的にのみ図７に示される）に搭載される。二重キャップアセンブリは、基部７３２を備え、これは、ねじ山締結機構によって、容器７１４に搭載される。基部７３２は、日焼け止め剤を容器７１４から分与するためのノズル７４３（それを通して開口を伴う）を有する。中央区分７３０は、基部７３２上に取り外し可能にスナップ嵌合し、陥凹７４６が、ノズル７４３を収容し、容器７１４を閉鎖し、好ましくは、シールをノズル７４３内の開口にわたって形成する。上部区分７２４は、中央区分７３０上にスナップ嵌合する。区分７２４および７３０は、インク付きスタンプ７５０と、随意に、インクパッド（図示せず）とを保持する、二次チャンバを画定する。
【００３５】
図８は、ヒトの皮膚上での使用のための２つの材料を含有し、別個に分与するためのデバイス８００を示し、デバイス８００は、その上に搭載される二重キャップアセンブリ８１２を有する、エアロゾルまたはポンプスプレー容器８１４を備える。日焼け止め剤は、二重キャップアセンブリ８１２を押下することによって、基部８３２内のノズル８４３を介して、容器８１４から分与される。二重キャップアセンブリ８１２はさらに、中央区分８３０と、上部区分８２４とを備える。上部区分は、上記に説明されるように、押上式蓋、ねじ込み式蓋、スナップ嵌合蓋、または同等物であることができる。中央区分８３０および上部区分８２４は、容器８１４内の日焼け止め剤と併用するためのＵＶ指示剤を含有する、二次チャンバ８６６を画定する。中央区分は、基部８３２と一体的に形成されることができるか、または基部８３２に固定されることができるか、もしくは基部８３２に取り外し可能に取り付けられることができる。
【００３６】
図９は、ヒトの皮膚上での使用のための２つの材料を含有し、別個に分与するためのデバイス９００を示し、デバイス９００は、その上に搭載されるキャップアセンブリ９１２を有する、エアロゾルまたはポンプスプレー容器９１４を備える。日焼け止め剤は、キャップアセンブリ９１２を押下することによって、基部９３２内のノズル９４３を介して、容器９１４から分与される。キャップアセンブリ９１２はさらに、それを介してペン９９０ａ、ブラシ９９０ｂ、またはスタンプ９９０ｃ等の容器／アプリケータデバイスが、基部９３２に取り外し可能に搭載されることができる、可撓性クリップ９７０を備える。容器／アプリケータデバイス９９０は、ＵＶ指示剤を含有し、これは、容器９１４内に貯蔵される日焼け止め剤と関連付けて使用するために、デバイスを使用して、ヒトの皮膚に塗布されることができる。取り外し可能なキャップ９９５は、使用されないとき、容器／アプリケータデバイスを閉鎖またはシールするために使用される。可撓性クリップ９７０は、基部９３２と一体的に形成されることができるか、または図９に示されるように、接着剤もしくは糊９７４を使用して基部９３２に締結されることができる。
【００３７】
図１０は、別の例示的実施形態による、二重押上式キャップ１１１２の側面図を示す。二重押上式キャップ１１１２は、例えば、容器１４、６１４、７１４、８１４等の様々な容器に搭載されることができるが、これは、例証および説明を明確にするために示されていない。二重押上式キャップ１１１２は、概して、二重押上式キャップ１２に類似するが、二重押上式キャップ１１１２が、部分的に中央区分１１３０を通して延在するインクウェル陥凹１１４４を含む、変形例を提供する。特に、インクウェル陥凹１１４４は、中央区分１１３０の上側表面から中央区分１１３０を通して延在する、陥凹１１４８の下方に位置する。インクウェル陥凹１１４４は、ＵＶ指示剤インクを受容するように定寸および成形される。このように、二次チャンバ１１５６は、少なくとも部分的に、上部区分１１２４内に配置される陥凹１１５４と、陥凹１１４８と、中央区分１１３０内に配置されるインクウェル陥凹１１４４とによって画定される。
【００３８】
二重押上式キャップ１１１２の本実施形態では、インク浸透式ＵＶアプリケータ１１５０、例えば、発泡体スタンプが、中央区分１１３０の陥凹１１４８内に位置付けられ、上側部分が、中央区分１１３０の陥凹１１４８から、上部区分１１２４の陥凹１１５４の中に外向きに突出する。インク浸透式ＵＶアプリケータ１１５０の下側は、インクウェル陥凹１１４４に隣接して位置付けられ、インクウェル陥凹１１４４と流体連通する。インクウェル陥凹１１４４をＵＶアプリケータ１１５０と流体連通させて提供することは、ＵＶアプリケータ１１５０が、使用の合間に再飽和されることを可能にし、計測された体積のインクを提供する。計測された体積のインク材料は、概して、比較的に一貫した厚さのインク層がユーザの皮膚上に堆積される結果をもたらし、これは、ＵＶ指示剤インク、例えば、フォトクロミック染料が、ＵＶ放射に暴露されると、知覚された深度の色変化に確実に寄与する。例えば、中央区分１１３０のリムの上方へのＵＶアプリケータ１１５０の突出は、ＵＶアプリケータ１１５０の再飽和およびＵＶアプリケータ１１５０の標準化された圧縮に応じて、ほぼ類似する量のインクの堆積をもたらすことができる。
【００３９】
さらに、インク浸透式ＵＶアプリケータ１１５０をインクウェル陥凹１１４４に隣接して位置付け、その中に配置されるＵＶ指示剤インクと流体連通させることは、インク浸透式ＵＶアプリケータ１１５０の再飽和を可能にする。例えば、インクウェル陥凹１１４４およびインク浸透式ＵＶアプリケータは、毛細管力が、インクウェル陥凹１１４４内に配置されるＵＶ指示剤インクをインク浸透式ＵＶアプリケータ１１５０に向かって引動または引出し、ＵＶアプリケータ１１５０を再飽和させることを可能にするように定寸および成形される。いくつかの事例では、毛細管力を介したＵＶアプリケータ１１５０の再飽和は、重力と連動することができる。例えば、容器に結合された二重押上式キャップ１１１２を有する、デバイスが、上部区分１１２４の外部表面が水平または傾斜表面に対面または当接した状態で位置付けられると、重力が、毛細管力とともに、ＵＶ指示剤インクをＵＶアプリケータ１１５０に向かって指向または引出し、ＵＶアプリケータ１１５０を再飽和させることができる。いくつかの事例では、デバイスの右側または左側が水平または傾斜表面に対面または当接するように、デバイスが水平または傾斜表面上に位置付けられると、重力が、毛細管力とともに、ＵＶ指示剤インクをＵＶアプリケータ１１５０に向かって指向または引出し、ＵＶアプリケータ１１５０を再飽和させることができる。再び、このように、インクウェル陥凹１１４４を提供し、インクウェル陥凹１１４４をＵＶアプリケータ１１５０に隣接して位置付けることは、有利なことに、ＵＶアプリケータ１１５０の再飽和を可能にし、これは、中央区分１１３０のリムの上方に延在し、ユーザの皮膚に対して圧接されるとき標準化された量だけ圧縮される（中央区分１１３０の上側リムとユーザの皮膚との接触が圧縮量を決定する）ＵＶアプリケータ１１５０と併せて、複数の使用の間およびデバイスの寿命を通して、ユーザの皮膚上に堆積されるインク層の比較的に一貫した調量を可能にする。
【００４０】
さらに、上記に説明されるインク浸透式ＵＶアプリケータ１１５０は、様々なデバイス内に提供されることができる。例えば、図６に図示されるデバイス６１４は、中央区分内６３０に配置されるインクウェル陥凹を含むことができ、インクウェル陥凹内に配置されるＵＶ指示剤インクは、ＵＶ指示剤インクを引動または引出し、ＵＶアプリケータ１１５０を再飽和させる。同様に、対応する二重キャップアセンブリ７１２およびデバイス８００の中央区分７３０、８３０もまた、インクウェル陥凹を含み、ＵＶ指示剤インクを引動または引出し、ＵＶアプリケータ１１５０を再飽和させることができる。
【００４１】
図１１は、別の例示的実施形態による、二重押上式キャップ２１１２を図示する。二重押上式キャップ２１１２は、１つの陥凹（例えば、中央区分２０３０の陥凹２０４８）内に位置するスタンプ２０５０と、別の他の陥凹（例えば、上部区分２０２４の陥凹２０５４）内に位置するＵＶ指示剤インクが含浸されたインクパッド２０７０とを含む、変形例を提供する。二重押上式キャップ２１１２はまた、ＵＶ指示剤インクを含み、インクパッド２０７０と流体連通する、上部区分２０２４内に位置する、インクウェル２０７１を含む。上部区分２０２４が閉鎖位置にあるとき、スタンプ２０５０は、インクパッド２０７０と接触して、スタンプ２０５０をインクで湿潤または装填する。インクウェル２０７１内のＵＶ指示剤インクは、インクパッド２０７０を飽和または再飽和させることができる。
【００４２】
詳細における多くの修正、変形例、および変更が、本発明の説明される実施形態に行われることができるため、前述の説明にあって、付随の図面に示される全ての事項が、例証的として解釈され、限定的意味ではないことが意図される。したがって、本発明の範囲は、添付の請求項およびその法的均等物によって判定されるべきである。
【００４３】
上記に説明される種々の実装、実施例、および実施形態は、それぞれ、さらなる実装、実施例、および実施形態を提供するために組み合わせられることができる。それらが本明細書の具体的教示および定義と矛盾しない範囲において、本明細書で参照され、および／またはアプリケーションデータシート内に列挙される、米国特許、米国特許出願公開、米国特許出願、外国特許、外国特許出願、および非特許刊行物は全て、参照することによって本明細書に組み込まれ、限定ではないが、２０１６年５月１８日に出願された米国仮特許出願第６２／３３８，２３５号を含む。
【図１】
2019521728.tif 000003
【図２Ａ】
2019521728.tif 000004
【図２Ｂ】
2019521728.tif 000005
【図２Ｃ】
2019521728.tif 000006
【図２Ｄ】
2019521728.tif 000007
【図３Ａ】
2019521728.tif 000008
【図３Ｂ】
2019521728.tif 000009
【図４Ａ】
2019521728.tif 000010
【図４Ｂ】
2019521728.tif 000011
【図４Ｃ】
2019521728.tif 000012
【図４Ｄ】
2019521728.tif 000013
【図４Ｅ】
2019521728.tif 000014
【図４Ｆ】
2019521728.tif 000015
【図５Ａ】
2019521728.tif 000016
【図５Ｂ】
2019521728.tif 000017
【図５Ｃ】
2019521728.tif 000018
【図５Ｄ】
2019521728.tif 000019
【図６】
2019521728.tif 000020
【図７】
2019521728.tif 000021
【図８】
2019521728.tif 000022
【図９】
2019521728.tif 000023
【図１０】
2019521728.tif 000024
【図１１】
2019521728.tif 000025
【国際調査報告】
2019521728.tif 000026